(57)【要約】【課題】  ２とおりから５７６とおりといった様々な目が出るさいころを提供することを課題とする。【解決手段】  正六面体を構成する８個の角に対し各々１個ずつ記された記号を出目とするさいころ、正六面体を構成する１２個の辺に対し各々１個ずつ記された記号を出目とするさいころ、又は正六面体を構成する６個の面を各々４個に分割して成る２４個の分割面に対し各々１個ずつ記された記号を出目とするさいころによって課題を解決する。また、そのようなさいころを２個利用して出目を組み合わせることにより課題を解決する。【選択図】        図３
2012228511.tif 000002
【特許請求の範囲】
【請求項１】
正六面体を構成する８個の角に対し各々１個ずつ記された記号を出目とするさいころ。
【請求項２】
正六面体を構成する１２個の辺に対し各々１個ずつ記された記号を出目とするさいころ。
【請求項３】
正六面体を構成する６個の面を各々４個に分割して成る２４個の分割面に対し各々１個ずつ記された記号、
正六面体を構成する８個の角に対し各々１個ずつ記された記号及び／又は
正六面体を構成する１２個の辺に対し各々１個ずつ記された記号を出目とするさいころ。
【請求項４】
正六面体を構成する６個の面を各々４個に分割して成る２４個の分割面の各々に１個ずつ記号が記され、内部に空所を有し、前記空所に前記２４個の分割面のそれぞれに対応する２４個の小部屋を有する正六面体の外箱と、
前記外箱の内部を自由に転がる駒からなり、
前記２４個の分割面のうち、転がされ停止した外箱内で駒が着地した前記小部屋に対応する前記分割面に記された記号を出目とするさいころ。
【請求項５】
正六面体を構成する６個の面を各々５個に分割して成る３０個の分割面の各々に１個ずつ記号が記され、内部に空所を有し、内部の前記空所に３０個の前記分割面のそれぞれに対応する３０個の小部屋を有する正六面体の外箱と、
前記外箱の内部を自由に転がる駒からなり、
３０個の前記分割面のうち、転がされ停止した前記外箱内で駒が着地した前記小部屋に対応する前記分割面に記された記号を出目とするさいころ。
【請求項６】
正六面体を構成する６個の面を各々４個に分割して成る２４個の分割面に２４×Ｎ（Ｎは０から２３の整数）の数字が各々に１個ずつ記され、内部に空所を有し、内部の前記空所に２４個の前記分割面のそれぞれに対応する２４個の小部屋を有する正六面体の第一のさいころと、
正六面体を構成する６個の面を各々４個に分割して成る２４個の分割面に１〜２４の数字が各々に１個ずつ記され、前記第一のさいころ内部の前記空所を自由に転がる正六面体の第二のさいころからなり、
前記第一のさいころの２４個の分割面のうち、転がされ停止した前記第一のさいころ内で前記第二のさいころが着地した小部屋に対応する分割面に記された記号を第一のさいころの出目とし、
前記第二のさいころに記された１〜２４の数字のうち、転がされ停止した前記第一のさいころ内で着地した際に第一のさいころの角と位置が一致した角の近辺に記された数字を第二のさいころの出目とし、
前記第一のさいころの出目と、前記第二のさいころの出目とを加えた値を出目とするさいころ。
【請求項７】
正六面体を構成する６個の面に対し各々１個ずつ記された記号、正六面体を構成する６個の面を各々４個に分割して成る２４個の分割面に対し各々１個ずつ記された記号及び／又は正六面体を構成する８個の角に対し各々１個ずつ記された記号を出目とし、内部に空所を有し内部の前記空所に２４個の分割面のそれぞれに対応する２４個の小部屋を有する第一のさいころと、
正六面体を構成する６個の面に対し各々１ずつ記された記号及び／又は正六面体を構成する６個の面を各々４個に分割して成る２４個の分割面に対し各々１個ずつ記された記号を出目とし、前記第一のさいころの内部の前記空所を自由に転がる正六面体の第二のさいころからなり、
前記第一のさいころの出目と前記第二のさいころの出目を組み合わせて出目を得るさいころ。
【請求項８】
正六面体を構成する６個の面に各々１個ずつ記された６種類の記号、正六面体を構成する６個の面に各々１個ずつ記された各々３個の二種類の記号、
正六面体を構成する６個の面を各々４個に分割して成る２４個の分割面に各々１個ずつ記された２４種類の記号、
正六面体を構成する６個の面を各々４個に分割して成る２４個の分割面に４種類の記号の全種類が記されるように記された各々６個の４種類の記号、
正六面体を構成する８個の角に各々１個ずつ記された８種類の記号、
及び／又は
正六面体の角を構成する３個の面に各々１個ずつ記された３種類の記号、
を出目とし、
内部に空所を有し内部の前記空所に前記２４個の分割面のそれぞれに対応する２４個の小部屋を有する第一のさいころと、
正六面体を構成する６個の面に対し各々１ずつ記された記号
及び／又は
正六面体を構成する６個の面を各々４個に分割して成る２４個の面に対し各々１個ずつ記された記号
を出目とし、
前記第一のさいころの内部の前記空所を自由に転がる正六面体の第二のさいころからなり、
前記第一のさいころの出目と前記第二のさいころの出目を組み合わせて出目を得るさいころ。
【発明の詳細な説明】
【技術分野】
【０００１】
本発明は、２とおりから５７６とおりといった様々な目が出るさいころに関する。
【背景技術】
【０００２】
従来、正六面体のさいころであって、各面に１〜６の目が各々一つずつ記され、６とおりの目が出て各数字が出る確率が６分の１のものがあった。
【０００３】
特許文献１には、「１」を表示する面が一面、「２」を表示する面が二面、「３」を表示する面が三面である正六面体のさいころであって、「１」の数字が出る確率は６分の１、「２」の数字が出る確率は３分の１、「３」の数字が出る確率は２分の１、と、各面の数字が出る確率の異なるさいころが開示されている。
【先行技術文献】
【特許文献】
【０００４】
【特許文献１】特開２０００−１４９２２公報
【発明の概要】
【発明が解決しようとする課題】
【０００５】
しかしながら、従来、２とおりから５７６とおりといった様々な目が出るさいころはなかった。
【０００６】
本発明は２とおりから５７６とおりといった様々な目が出るさいころを提供することを課題とする。
【課題を解決するための手段】
【０００７】
正六面体を構成する８個の角に対し各々１個ずつ記された記号を出目とするさいころによって課題を解決する。正六面体を構成する角が８個あることに着目したもので、この出願に係る実施例３に例示する発明の上位概念の発明である。
【０００８】
従来の、正六面体を構成する面が６個あることに着目した手段では、さいころを転がし停止した際に頂面に記された目を出目とするが、本発明では、さいころを転がしさいころが停止した際に頂面に表れる角は４個あるので、いずれの角を出目とするかに関し、さいころを転がす前に定めておく。例えば、「さいころを転がした者の最も近くに位置する角を出目とし、いずれに位置する角が最も近いか不明確な場合には再度転がす。」というように定めておく。また、さいころを水に浮かべて水中で回転させ、さいころが停止した際に水面に浮かび出た角を出目とするという方法でも構わない。
【０００９】
８個の角に８種類の記号を各々１個ずつ記し、８とおりの目が出て、各記号が出る確率が８分の１のさいころとして用いることができる。４種類の記号を各々２個ずつ記し４とおりの目がでて各記号が出る確率が４分の１のさいころ、２種類の記号を各々４個ずつ記し２とおりの目が出て各記号が出る確率が２分の１のさいころとして用いることもできる。
【００１０】
８個の角に対し記号を記すに当たり、角を面取りして設けた小さな平面、また、角を丸く削って設けた小さな曲面に記すことができる。角自体は「点」であり記号を付すことが困難だからである。また、角を面取りしたり丸く削ったりすることなく、角の近辺に符号を記してもよい。記号には、数字、アルファベット・漢字等の文字が含まれる。着色により８個の角を区別するようにしてもよい。
【００１１】
正六面体を構成する１２個の辺に対し各々１個ずつ記された記号を出目とするさいころによって課題を解決する。正六面体を構成する辺が１２個であることに着目したもので、この出願に係る実施例２に例示する発明の上位概念の発明である。
【００１２】
正六面体を構成する１２個の辺を利用することにより、１２種類の記号を各々一個ずつ記して１２とおりの目が出て、各記号が出る確率が１２分の１のさいころとして用いることができる。また、４種類の記号を各々２個ずつ記して４とおりの目のでるさいころ、２種類の記号を各々４個ずつ記して２とおりの目の出るさいころとして用いることができる。
【００１３】
記号には、数字、アルファベット・漢字等の文字が含まれる。また、１２種類の記号の場合には、例えば十二支の干支を用いることもできる。特定の意味を備える一組の記号（例えば、１２種類の記号として「１月から１２月」までの英語、４種類の記号として「春夏秋冬」や「東西南北」の漢字、３種類の色彩として信号の「赤緑黄」、２種類の記号として「右左」の漢字、「○×」、「紅白」の色彩）を用いることにより、本発明に係るさいころの用途が広がる。
【００１４】
正六面体を構成する６個の面を各々４個に分割して成る２４個の分割面に対し各々１個ずつ記された記号、正六面体を構成する８個の角に対し各々１個ずつ記された記号及び／又は正六面体を構成する１２個の辺に対し各々１個ずつ記された記号を出目とするさいころによって課題を解決する。この出願に係る実施例４に例示する発明の上位概念の発明である。正六面体を構成する８個の角と、正六面体を構成する１２個の辺に加え、正六面体を構成する６個の面を各々４個に分割して得られる２４個の分割面を利用したさいころである。
【００１５】
２４個の分割面を利用することにより、２４種類の記号を各々１個ずつ記して２４とおり目の出るさいころとして用いることができる。また１２種類の記号を各々２個ずつ記すことにより１２とおりの目の出るさいころとして用いることができ、８種類の記号を各々３個ずつ記すことにより８とおりの目の出るさいころとして利用できる。また、８個の角、１２個の辺、２４個の面を利用することにより、一つのさいころで３個の出目が得られるので、それぞれの出目を組み合わせることにより、さらに多様な出目が得られる。
【００１６】
正六面体を構成する６個の面を各々４個に分割して成る２４個の分割面の各々に１個ずつ記号が記され、内部に空所を有し、前記空所に前記２４個の分割面のそれぞれに対応する２４個の小部屋を有する正六面体の外箱と、前記外箱の内部を自由に転がる駒からなり、前記２４個の分割面のうち、転がされ停止した外箱内で駒が着地した前記小部屋に対応する前記分割面に記された記号を出目とするさいころによって課題を解決する。この出願に係る実施例５に例示する発明の上位概念の発明である。
【００１７】
正六面体を構成する６個の面を各々４個に分割して得られる２４個の分割面を利用したさいころを外箱とし、中に駒を入れて出目を得る。外箱の表面には、各々の面を４個に分けて得られる面（分割面）に１個ずつ記号が記してある。外箱は中が空洞になっており、内壁に、外箱表面の２４個の分割面に対応する２４個の小部屋が設けてある。小部屋は駒が収まる大きさである。
【００１８】
さいころすなわち外箱を転がすと、外箱の中の駒は外箱の中で自由に転がり、外箱が停止すると駒は外箱の中のいずれかの小部屋に収まる。外箱は透明の素材で構成する等の手段により中が見えるようになっており、外部から、駒の収まった小部屋を見ることができる。駒の収まった小部屋に対応する、外箱の分割面に記された記号が出目である。
【００１９】
正六面体を構成する６個の面を各々５個に分割して成る３０個の分割面の各々に１個ずつ記号が記され、内部に空所を有し、内部の前記空所に３０個の前記分割面のそれぞれに対応する３０個の小部屋を有する正六面体の外箱と、前記外箱の内部を自由に転がる駒からなり、３０個の前記分割面のうち、転がされ停止した前記外箱内で駒が着地した前記小部屋に対応する前記分割面に記された記号を出目とするさいころによって課題を解決する。この出願に係る実施例６に例示する発明の上位概念の発明である。
【００２０】
正六面体を構成する６個の面を各々５個に分割して得られる３０個の分割面を利用したさいころを外箱とし、中に駒を入れて出目を得る。外箱の表面には、各々の面を５個に分けて得られる面（分割面）に１個ずつ記号が記してある。外箱は中が空洞になっており、内壁に、外箱表面の３０個の分割面に対応する３０個の小部屋が設けてある。小部屋は駒が収まることのできる大きさである。
【００２１】
さいころすなわち外箱を転がすと、外箱の中の駒は外箱の中で自由に転がり、外箱が停止すると駒は外箱の中のいずれかの小部屋に収まる。外箱は透明の素材で構成する等の手段により中が見えるようになっており、外部から、駒の収まった小部屋を特定できる。駒の収まった小部屋に対応する、外箱の分割面に記された記号が出目である。
【００２２】
正六面体を構成する６個の面を各々４個に分割して成る２４個の分割面に２４×Ｎ（Ｎは０から２３の整数）の数字が各々に１個ずつ記され、内部に空所を有し、内部の前記空所に２４個の前記分割面のそれぞれに対応する２４個の小部屋を有する正六面体の第一のさいころと、正六面体を構成する６個の面を各々４個に分割して成る２４個の分割面に１〜２４の数字が各々に１個ずつ記され、前記第一のさいころ内部の前記空所を自由に転がる正六面体の第二のさいころからなり、前記第一のさいころの２４個の分割面のうち、転がされ停止した前記第一のさいころ内で前記第二のさいころが着地した小部屋に対応する分割面に記された記号を第一のさいころの出目とし、前記第二のさいころに記された１〜２４の数字のうち、転がされ停止した前記第一のさいころ内で着地した際に第一のさいころの角と位置が一致した角の近辺に記された数字を第二のさいころの出目とし、前記第一のさいころの出目と、前記第二のさいころの出目とを加えた値を出目とするさいころによって課題を解決する。この出願に係る実施例７に例示する発明の上位概念の発明である。
【００２３】
第一のさいころの中に第二のさいころを入れて、第一のさいころの中で第二のさいころを転がして出目を得る。第一のさいころには正六面体を構成する６個の面を各々４個に分割して成る２４個の分割面が設けてある。外箱は内部が空洞になっており、内壁に、外箱表面の２４個の分割面に対応する小部屋が設けてある。分割面には、２４×Ｎ（Ｎは０から２３の整数）の数字、すなわち「０、２４、４８、７２・・・５０４、５２８、５５２」が、各分割面に１個ずつ記してある。
【００２４】
第二のさいころには正六面体を構成する６個の面を各々４個に分割して成る２４個の分割面が設けてある。第二のさいころの分割面には１から２４の数字が記してある。
【００２５】
第一のさいころを転がすと、第一のさいころの中で第二のさいころも転がり、第一のさいころが停止すると、第二のさいころは第一のさいころのいずれかの小部屋に収まる。第一のさいころは透明な素材で構成する等の手段により中が見えるようになっており、第二のさいころがいずれの小部屋に収まったかが外部からわかる。第一のさいころの分割面のうち、第二のさいころの収まった小部屋に対応する分割面に記された数字が第一のさいころの出目である。
【００２６】
第二のさいころの出目をいずれの位置に記した数字とするかという点についてさいころを転がす前に決めておき、第二のさいころの出目を得る。例えば、第二のさいころの収まった小部屋とちょうど反対側に位置する分割面が小部屋と対応する分割面である場合に、例えば、第一のさいころに記す数字を正方形の中央付近にすると正方形の四隅に空所ができ、小部屋に収まった第二のさいころの数字を読むことができる。停止した第二のさいころは頂面に数字が４個表れる。第二のさいころの頂面の４個の数字のうち、第一のさいころの角と、角の位置が一致した部分を第二のさいころの出目とすることができる。第一のさいころの数字を記す位置と第二のさいころの数字を記す位置は、上記のような場合に双方の数字を読むことができるように配置する。
【００２７】
第一のさいころの出目と第二のさいころの出目を加えると、得られる数字は１から５７６までの整数となり、いずれの出目が得られるかの確率も同じである。
【００２８】
正六面体を構成する６個の面に対し各々１個ずつ記された記号、正六面体を構成する６個の面を各々４個に分割して成る２４個の分割面に対し各々１個ずつ記された記号及び／又は正六面体を構成する８個の角に対し各々１個ずつ記された記号を出目とし、内部に空所を有し内部の前記空所に２４個の分割面のそれぞれに対応する２４個の小部屋を有する第一のさいころと、正六面体を構成する６個の面に対し各々１ずつ記された記号及び／又は正六面体を構成する６個の面を各々４個に分割して成る２４個の分割面に対し各々１個ずつ記された記号を出目とし、前記第一のさいころの内部の前記空所を自由に転がる正六面体の第二のさいころからなり、前記第一のさいころの出目と前記第二のさいころの出目を組み合わせて出目を得るさいころによって課題を解決する。この出願に係る実施例８に例示する発明の上位概念の発明である。
【００２９】
第一のさいころとして正六面体を構成する６個の面と、６個の面をそれぞれ４分割して得た２４個の分割面と正六面体を構成する８個の角を出目を得るために利用したものを用いる。これらをすべて利用して出目を得てもよいし、いずれか一つを使用して出目を得てもよい。
【００３０】
第一のさいころは外箱として用い、中に第二のさいころを入れる。第一のさいころには正六面体を構成する６個の面を各々４個に分割して成る２４個の分割面が設けてある。外箱は内部が空洞になっており、内壁に、外箱表面の２４個の分割面に対応する小部屋が設けてある。
【００３１】
第二のさいころに、正六面体を構成する６個の面と、正六面体を構成する６個の面をそれぞれ４分割して得た２４個の分割面を利用したものを用いる。
【００３２】
「及び／又は」と記載する通り、得られた複数種類の出目を単独で用いてもよいし、得られた複数種類の出目を組み合わせて用いてもよいし、複数種類の出目を組み合わせることにより、出目の種類をさらに増やすことができる。
【００３３】
正六面体を構成する６個の面に各々１個ずつ記された６種類の記号、正六面体を構成する６個の面に各々１個ずつ記された各々３個の二種類の記号、正六面体を構成する６個の面を各々４個に分割して成る２４個の分割面に各々１個ずつ記された２４種類の記号、正六面体を構成する６個の面を各々４個に分割して成る２４個の分割面に４種類の記号の全種類が記されるように記された各々６個の４種類の記号、正六面体を構成する８個の角に各々１個ずつ記された８種類の記号、及び／又は正六面体の角を構成する３個の面に各々１個ずつ記された３種類の記号、を出目とし、内部に空所を有し内部の前記空所に前記２４個の分割面のそれぞれに対応する２４個の小部屋を有する第一のさいころと、正六面体を構成する６個の面に対し各々１ずつ記された記号及び／又は正六面体を構成する６個の面を各々４個に分割して成る２４個の面に対し各々１個ずつ記された記号を出目とし、前記第一のさいころの内部の前記空所を自由に転がる正六面体の第二のさいころからなり、前記第一のさいころの出目と前記第二のさいころの出目を組み合わせて出目を得るさいころによって課題を解決する。この出願に係る実施例８に例示する発明の上位概念の発明である。
【発明の効果】
【００３４】
本発明によれば、２とおりから５７６とおりの目の出るさいころを得ることができる。
【００３５】
また、数字の目の出る確率を数種から選択できるさいころを得ることができる。
【図面の簡単な説明】
【００３６】
【図１】本発明実施例１のさいころを示す。
【図２】本発明実施例２または実施例３のさいころを示す。
【図３】本発明実施例４のさいころを示す。
【図４】本発明実施例５のさいころを示す。
【図５】本発明実施例５のさいころを示す。
【図６】本発明実施例５のさいころを示す。
【図７】本発明実施例６のさいころを示す。
【図８】本発明実施例６のさいころを示す。
【図９】本発明実施例６のさいころを示す。
【図１０】本発明実施例７のさいころを示す。
【図１１】本発明実施例７のさいころを示す。
【図１２】本発明実施例７の出目を示す。
【図１３】本発明実施例８のさいころを示す。
【図１４】本発明実施例８のさいころを示す。
【図１５】本発明実施例８の出目を示す。
【図１６】本発明実施例８の出目を示す。
【図１７】本発明実施例９のさいころを示す。
【図１８】本発明実施例９の出目を示す。
【図１９】本発明実施例１０のさいころを示す。
【図２０】本発明実施例１０の出目を示す。
【図２１】本発明実施例１１のさいころを示す。
【図２２】本発明実施例１１の出目を示す。
【図２３】本発明実施例１２のさいころを示す。
【図２４】本発明実施例１２の出目を示す。
【図２５】本発明実施例１３のさいころを示す。
【図２６】本発明実施例１３の出目を示す。
【図２７】本発明実施例１３の出目を示す。
【図２８】本発明実施例１３の出目を示す。
【発明を実施するための形態】
【００３７】
以下、本発明の実施の形態について、図面を参照しながら説明する。
【実施例１】
【００３８】
実施例１のさいころの形態は、従来のさいころと同様、正六面体である。図１に実施例１のさいころの展開図を示す。実施例１では、正六面体の各面を４分割し、得られた２４個の面に１から２４の数字を１個ずつ記す。
【００３９】
転がされたさいころが停止すると、頂面には４個の数字が表れている。さいころを転がして停止した際にいずれの位置の数字を出目とするかを、例えば、「停止したさいころの頂面の数字であって、さいころを転がした者に最も近い位置にある角の近くに記された数字を出目とする。最も近い角がいずれか不明確な場合には再度さいころを転がす。」のように予め決めておく。
【００４０】
図示しないが、いずれの位置の数字を出目とするかに関し、大きい容器にさいころを入れ、容器を振り動かして容器内でさいころを転がし、容器内でさいころが停止した際に容器の所定の位置に来たさいころの目を出目とする、というものでもよい。当該所定の箇所が透明になっており、大きい容器の外側から目を読むことができるようにしてあってもよい。
【実施例２】
【００４１】
実施例２のさいころの形態は、従来のさいころと同様、正六面体である。実施例２では、正六面体を構成する１２個の辺（１）に、１から１２の数字を１個ずつ記す。図２に辺（１）の位置を示す。図２では辺（１）が面取りされている。面取りは、されていてもされていなくてもよい。後述の実施例４は実施例１から実施例３のすべての特徴を備えているので実施例４に係るさいころの展開図（図３）を実施例２の説明にも用いる。さいころを転がして停止した際に、いずれの位置の数字を出目とするかに関しあらかじめ決めておく点、及びいずれの位置の数字を出目とするかに関し、大きい容器にさいころを入れるようにしてもよい点に関しては実施例１と同様である。
【実施例３】
【００４２】
実施例３のさいころの形態は、従来のさいころと同様、正六面体である。実施例３では、正六面体を構成する８個の角（２）に、１から８の数字を１個ずつ記す。図２に角（２）の位置を示す。図２では角（２）が面取りされている。面取りは、されていてもされていなくてもよい。後述の実施例４は実施例１から実施例３のすべての特徴を備えているので実施例４に係るさいころの展開図（図３）を実施例３の説明にも用いる。転がされたさいころが停止した際に、いずれの位置の数字を出目とするかに関しあらかじめ決めておく点、及びいずれの位置の数字を出目とするかに関し大きい容器にさいころを入れるようにしてもよい点に関しては実施例１と同様である。
【実施例４】
【００４３】
実施例４のさいころは、従来のさいころ、実施例１のさいころ、実施例２のさいころ及び実施例３のさいころの特徴をすべて備えている。実施例４のさいころの展開図を図３に示す。実施例４では正六面体を構成する６個の面の中央付近に１〜６の数字が一つずつ記されている。また、正六面体の各面を４分割して得られた２４個の面に１から２４の数字が１個ずつ記されている。また、正六面体を構成する１２個の辺（１）に１から１２の数字が１個ずつ記されている。また、正六面体を構成する８個の角（２）に１から８の数字が１個ずつ記されている。
【００４４】
転がされてさいころが停止した際に、いずれの位置の数字を出目とするかに関しあらかじめ決めておく点に関しては実施例１と同様である。
【００４５】
いずれの位置の数字を出目とするかに関し、大きい容器にさいころを入れるようにしても良い点に関しても実施例１と同様である。
【実施例５】
【００４６】
図４〜図６に実施例５を示す。実施例５では正六面体の各面を４分割し、分けて得られた合計２４個の面に、１から２４の数字をそれぞれ１個ずつ記す（図４、図５）。
【００４７】
図５に示す通り、さいころの内部は中空になっている。さいころは透明な素材で構成されており、外部から内部が見える。図５及び図６に示す通り、さいころの内周面には十文字型の仕切り（４）が設けてあり、この仕切りにより内側の６個の面は、いずれも一つの面がそれぞれ４個の部分（ａ〜ｄ）に分けられている。さいころの外周の各面に記した４個の数字は、それぞれがその裏側に位置する面の内側において仕切られた４個の部分に各々１個ずつ対応するように配置されている。図５に外周のある一面に示した４個の数字と、その裏側に位置する面の内側において仕切られた４個の部分の対応関係を示す。すなわち、さいころの外側に記された数字は、これらの数字が記された面の裏側に位置する面（図５で矢印の到達する面）において、それぞれの矢印の位置に、１→ｄ、２→ａ、３→ｂ、４→ｃのように対応している。
【００４８】
図４及び図５に示さないが、さいころ（３）の内部にはさいころ（３）の内部で自由に転がる小球（１０）が入れてある。振られたりさいころが停止する際、さいころの内部では、小球（１０）が、一つの面の仕切られた４つの部分のうちいずれかに収まる。図６では小球が部分ａに収まった場合を示している。この場合、さいころの出目は部分ａに対応する位置の外周に記した数字を読んで「２」となる。さいころが透明の素材で成ることにより、このように、内部の小球の位置に対応する位置にある外周に記した数字を読み取ることができる。
【００４９】
上記のようにして、さいころを振ることにより１から２４の出目を得ることができる。
【実施例６】
【００５０】
実施例６では正六面体の各面を５分割し、分けて得られた合計３０個の面に、１から３０の数字をそれぞれに１個ずつ記す（図７、図８）。
【００５１】
さいころの内部が中空になっている点及びさいころが透明な素材で構成されていて外部から内部が見える点は実施例５と同様である。実施例５ではさいころの内部が立方体であったのに対し、実施例６では内部の空洞は図８に示す通り球形である。図８及び図９に示す通り、さいころの内周面には、５つの部分（ｅ〜ｉ）に分割する仕切り（５）が設けてある。さいころの６個の各面の外周に記した５個の数字は、それぞれがその各面の裏側に位置する面の内側において仕切られた５個の部分に対応するように配置されている。従って、５つの部分に分ける仕切り（５）は、球形の空洞の内面に６個の面に対応して合計６個設けてある。図８にそのうちの一組の対応関係を示す。すなわち、さいころの外側に記された数字は、これらの数字が記された面の裏側に位置する面（図８で矢印の到達する面）において、それぞれの矢印の位置に、２１→ｅ、２２→ｆ、２３→ｇ、２４→ｈ、２５→ｉのように対応する。このような対応関係が正六面体の６個の各面毎に一個ずつある。
【００５２】
図示しないが、さいころ（３）の内部には、内部で自由に転がる小球（１０）が入れてある。さいころを振り、さいころが停止する際、さいころの内部では、小球（１０）が、仕切られた５つの部分のうちいずれかに収まる。図９では小球が部分ｅに収まった場合を示している。この場合、さいころの出目は部分ｅに対応する位置の外周の数字を読んで「２１」となる。さいころが透明の素材で成ることにより、このように、内部の小球の位置に対応する数字を読み取ることができる。
【００５３】
上記のようにして、さいころを振ることにより１から３０の出目を得ることができる。
【実施例７】
【００５４】
図１０に実施例７に用いるさいころ（２０）の展開図を示す。実施例７では、大きいさいころ（２０）と、大きいさいころの中に入れた小さいさいころ（３０）を用いる。大きいさいころを構成する６個の面が各々４個に分けられ、得られた合計２４個の面に、図１０に示す通りの数字が記されている。大きいさいころは透明な素材で構成されて外から内部が見える。実施例７の大きいさいころの内部の構造は実施例５と同様である。すなわち、さいころの内部は中空になっており、さいころの内周面には十文字型の仕切りが設けてあって一つの面の内側の面は４個に分けられている。
【００５５】
小さいさいころ（３０）は実施例１で示した１から２４の数字が記されたさいころである。この小さいさいころ（３０）は、大きいさいころ（２０）の内部を自由に転がる。大きいさいころを構成する六個の面（外周）の各々の四隅には数字が記されておらず空所になっている。
【００５６】
大きいさいころ（２０）が転がされ停止すると、大きいさいころの中で小さいころも着地する。図１１に、大きいさいころの中で着地した小さいころの目を読む状態を示す。大きいさいころが透明の素材で成るので、大きいさいころの上から覗き込むと、大きいさいころの中で着地した小さいさいころが外部から見える。大きいさいころの出目は、実施例５と同様に読む。すなわち、小さいさいころが着地した位置に対応する大きいさいころの外周に記された数字を出目とする。図１１では、小さいさいころが着地した位置は大きいさいころの外周に数字４８が記された位置に対応するので、大きいさいころの出目は４８である。小さいさいころの出目は、大きいさいころの外周に数字４８が記された、面（正六面体の一面が４分割されて得られた、一面の４分の１の大きさの面）の隅の空所に対応する位置から覗き見ることのできる、小さいさいころの数字を読む。図１１では、大きいさいころの隅の空所に対応する位置に現れた小さいさいころの数字は１４なので、小さいさいころの出目は１４である。大きいさいころの出目と小さいさいころの出目を加えると４８＋１４＝６２なので、図１１の出目は６２となる。
【００５７】
図１２に、大きいさいころの出目と小さいさいころの出目と、二つの出目を加えて得られる、最終的な出目を表で示す。大きいさいころの出目は、２４×ｎ（ｎは０〜２３の整数）、すなわち「０、２４、４８、７２、・・・・・５０４、５２８、５５２」である。小さいさいころの出目は２４までの自然数、すなわち「１、２、３、４、・・・・・２２、２３、２４」であるので、図１２の表に示す通り、両者を加えることにより１から５７６までのすべての出目が１個ずつ、同じ確率で得られる。
【実施例８】
【００５８】
実施例８では、実施例７と同様、大きいさいころの内部が中空になっており、中に小さいさいころが入れてある。大きいさいころは透明な素材で構成されており外部から内部が見える。大きいさいころを転がし、停止したさいころの出目を読む。実施例８では、大きいさいころの出目のみを用いる場合もあるし、小さいさいころの出目のみを用いる場合もある。実施例５と同様に、大きいさいころが停止したときに小さいころが着地した位置を外部から把握し、大きいさいころの目と小さいさいころの出目を両方用い、両方の出目を組み合わせて出目を得る場合もある。
【００５９】
図１３に実施例８の大きいさいころ（２０）の展開図を示す。大きいさいころは、正六面体を構成する六面の中央付近に、それぞれに１個ずつ１〜６の数字を記す。また、１〜６の数字のうち１〜３はその背景に赤色の正方形が記してあり、４〜６はその背景に白色の正方形が記してある。
【００６０】
また、大きいさいころには、正六面体の各面を４分割し得られた２４個の面に１から２４の数字が１個ずつ記してある。文字には着色し、１個の面に４種類の色の文字が１個ずつ配置されるようにする。すなわち、文字「１」は青色、文字「２」は赤色、文字「３」は緑色、文字「４」は黄色でそれぞれ表し「１」〜「４」を１個の面に記す。文字「５」〜文字「８」、文字「９」〜文字「１２」、文字「１３」〜文字「１６」、文字「１７」〜文字「２０」、文字「２１」〜文字「２４」も同様である。
【００６１】
正六面体を構成する８個の角は、３個の面が集合して構成されている。ある角を構成する３個の面に赤文字のＡ、黄色文字のＡ、緑文字のＡを記す。別の角を構成する３個の面に赤文字のＢ、黄色文字のＢ、緑文字のＢを記す。同様に、Ａ〜Ｈの８種類の文字をそれぞれ３色で表す。この結果、８個の角（それぞれ３個の面で構成される）には、Ａ〜Ｈの８種類の文字がそれぞれに１種類・各３個ずつ記され、赤黄緑の３種類の色彩がそれぞれ３種類各１個ずつ用いられる。
【００６２】
図１４に実施例８の小さいさいころ（３０）の展開図を示す。小さいさいころは、正六面体を構成する６個の面の中央部付近に、赤色の文字「ｘ」、黒色の文字「ｘ」、赤色の文字「ｙ」、黒色の文字「ｙ」、赤色の文字「ｚ」及び黒色の文字「ｚ」で成る合計６個の文字が、各々１個ずつ記されている。
【００６３】
また、小さいさいころは、正六角形を構成する６個の面を４個に分けて得られる分割面に、正方形の着色部分が設けてある。着色部分の色彩は、正６角形を構成する６個の面のうち１個の面に、赤、青、黄、緑の４種類すべてが１個ずつ用いられている。
【００６４】
実施例８では、上記の通りの様々に記された文字・記号・色彩を用いて、様々な確率の出目を得る。図１５に、実施例８のさいころの目で得られる出目の詳細を示す。説明のために、便宜的に「大II」（大きいさいころで２とおりの出目が得られることを意味する）、「小VI」（小さいさいころで６とおりの出目が得られることを意味する）、といったように表す。
【００６５】
「大II」の出目は、大きいさいころの正六面体を構成する六面の中央付近に記された１〜６の数字のうち、１〜３の背景に記された正方形の色彩（赤色）、４〜６の背景に記された正方形の色彩（白色）である。出目は赤と白の２とおりある。
「大VI」の出目は、大きいさいころの正六面体を構成する六面の中央付近に記された１〜６の数字である。出目は６とおりある。
「大III」の出目は、大きいさいころの角を構成する３個の面に記されたＡ〜Ｈの文字の色である。出目は赤、黄、緑の３とおりある。
「大VIＩＩ」の出目は、大きいさいころの角を構成する３個の面に記されたＡ〜Ｈの８種類の文字である。出目はＡ〜Ｈの８とおりある。
「大IV」の出目は、大きいさいころの正六面体の各面を４分割し得られた２４個の面に記された１から２４の数字の文字の色である。青、赤、緑、黄の４とおりある。
「大XXIV」の出目は、大きいさいころの正六面体の各面を４分割し得られた２４個の面に記された１から２４の数字である。
「大XII」の出目は、大きいさいころの正六面体の各面を４分割し得られた２４個の面に記された１〜２４の数字を用いる。１〜２４の数字は、例えば「２３」の裏側に位置する数字は「２」、「１２」の裏側に位置する数字は「１３」、といったように、各々の裏側に位置する数字との和が２５になるように配置されている。そこで、得られた出目をその裏側に位置する数字と対比し、値の小さい方を最終的な出目とする。出目は１〜１２の１２とおりある。
【００６６】
「小II」の出目は、小さいさいころの、正六面体を構成する六面の中央付近に記したｘ〜ｚの文字の色であり、赤と黒の２とおりある。
「小III」の出目は、小さいさいころの、正六面体を構成する六面の中央付近に記したｘ〜ｚの文字であり、ｘ〜ｚの３とおりある。
「小VI」の出目は、小さいさいころの、正六面体を構成する六面の中央付近に記したｘ〜ｚの文字と文字の色で特定されるものであり、赤色の文字「ｘ」、黒色の文字「ｘ」、赤色の文字「ｙ」、黒色の文字「ｙ」、赤色の文字「ｚ」及び黒色の文字「ｚ」の６とおりある。
「小IV」の出目は、小さいさいころの正六角形を構成する６個の正方形の４個の角の付近にもうけられた正方形の色彩付の部分の色彩であり、赤、青、黄、緑の４とおりある。
「小XXIV」の出目は、正六面体を構成する六面の中央付近に記したｘ〜ｚの文字と文字の色と、正六面体を構成する６個の正方形の４個の角の付近に設けられた正方形の色彩付の部分の色彩の組み合わせであり、図１５に示す通り、２４とおりある。
【００６７】
大きいさいころの出目と小さいさいころの出目を組み合わせることにより、さらに幾とおりかの出目を得ることができる。図１６に組み合わせた場合の確率を示す。
【実施例９】
【００６８】
実施例９では、実施例８と同様、大きいさいころの内部が中空になっており、中に小さいさいころが入れてある。大きいさいころは透明な素材で構成されており外部から内部が見える。実施例９では、実施例８と同様、大きいさいころの出目のみを用いる場合もあるし、小さいさいころの出目のみを用いる場合もある。実施例８と同様に、大きいさいころの出目と小さいさいころの出目を両方用い、両方の出目を組み合わせて出目を得る場合もある。
【００６９】
図１７（Ａ）に実施例９の大きいさいころの展開図を示す。大きいさいころは、正六面体を構成する６面のうちの５面に、１〜５個の目がそれぞれ記されている。残り１面には、４個の角の付近に０、４、８、１２の数字をそれぞれ記す。
【００７０】
図１７（Ｂ）に実施例９の小さいさいころの展開図を示す。小さいさいころは、大きいさいころと同様、正六面体を構成する６面のうちの５面に、１〜５個の目がそれぞれ記されている。残り１面には、４個の角の付近に１〜４の数字をそれぞれ記す。この小さいさいころは大きいさいころの内部を自由に転がる。
【００７１】
大きいさいころが転がされ停止すると、大きいさいころの中で小さいさいころも着地する。大きいさいころが透明の素材で成るので、大きいさいころの上から覗き込むと、大きいさいころの中で着地した小さいさいころが外部から見える。
【００７２】
実施例９では、上記の通りに記された文字と目を用いて、様々な確率の出目を得る。大きいさいころの出目が１〜５の目の場合、大きいさいころの出目のみが用いられる。大きいさいころの出目が数字で、小さいさいころの出目が１〜５個の目の場合、小さいさいころの出目のみが用いられる。大きいさいころ、及び小さいさいころの出目が数字の場合、大きいさいころの出目と小さいさいころの出目を両方使い、両方の出目を組み合わせて最終的な出目を得る。
【００７３】
転がされたさいころが停止した際に、いずれの位置の数字を出目とするかに関しあらかじめきめておく点は実施例３と同様である。
【００７４】
図１８に、大きいさいころと小さいさいころの両方の出目を組み合わせる場合の最終的な出目の出し方を示す。まず、大きいさいころと小さいさいころの出目の数字を合算する。大きいさいころと小さいさいころの出目の合算値が５以下の場合、図１８が示すように、その合算値を出目とする。大きいさいころと小さいさいころの出目の合算値が６以上の場合は、図１８に従って出目を読む。例えば、大きいさいころの出目が４、小さいさいころの出目が２であるとき、両方の出目の合算値は６であり、最終的な出目は１となる。
【００７５】
大きいさいころの出目が１２、小さいさいころの出目が４であるとき、両方の出目の合算値は１６であるが、この場合は「やりなおし」とし、再度さいころを転がすこととする。
【実施例１０】
【００７６】
実施例１０では、実施例９と同様、大きいさいころの内部が中空になっており、中に小さいさいころが入れてある。大きいさいころは透明な素材で構成されており外部から内部が見える。実施例１０では、実施例９と同様、大きいさいころの出目のみを用いる場合もあるし、小さいさいころの出目のみを用いる場合もある。実施例９と同様に、大きいさいころの出目と小さいさいころの出目を両方用い、両方の出目を組み合わせて出目を得る場合もある。
【００７７】
図１９（Ａ）に実施例１０の大きいさいころの展開図を示す。大きいさいころは、正六面体を構成する６面のうちの５面は何も記されていない。残り１面には、４個の角の付近に０、４、８、１２の数字がそれぞれ記し、中央付近には７個の小さな目が記されている。
【００７８】
図１９（Ｂ）に実施例１０の小さいさいころの展開図を示す。小さいさいころは、正六面体を構成する６面に、１〜６個の目がそれぞれ記されている。１個の小さい目が中央に記された面の４個の角付近には、１〜４までの数字を記す。実施例８同様、この小さいさいころは大きいさいころの内部を自由に転がる。
【００７９】
実施例９と同様、大きいさいころが転がされ停止すると、大きいさいころの中で小さいさいころも着地する。大きいさいころが透明の素材で成るので、大きいさいころの上から覗き込むと、大きいさいころの中で着地した小さいさいころが外部から見える。
【００８０】
上記の通りに記された文字と目を用いて、様々な確率の出目を得る。大きいさいころの何も記されていない面がでた場合、中の小さいさいころの出目のみが用いられる。大きいさいころの数字が記されている面と、小さいさいころの数字が記されている面があった場合、各々の数字を組み合わせて出目を得る。
【００８１】
転がされたさいころが停止した際に、いずれの位置の数字を出目とするかに関しあらかじめきめておく点は実施例３と同様である。
【００８２】
図２０に、大きいさいころと小さいさいころの両方の出目を組み合わせる場合の最終的な出目の出し方を示す。まず、大きいさいころと小さいさいころの出目の数字を合算する。大きいさいころと小さいさいころの出目の合算値が７位下の場合、図２０が示すように、その合算値を出目とする。大きいさいころと小さいさいころの出目の合算値が７以上の場合は、図２０に従って出目を読む。例えば、大きいさいころの出目が４、小さいさいころの出目が４であるとき、両方の出目の合算値は８であり、最終的な出目は１となる。
【００８３】
大きいさいころの出目が１２、小さいさいころの出目が３であるとき、両方の出目の合算値は１５であるが、この場合は「やりなおし」とし、再度さいころを転がすこととする。同様に、大きいさいころの出目が１２、小さいさいころの出目が４であるとき、両方の出目の合算は１６であるが、「やりなおし」とし、再度さいころを転がすこととする。
【実施例１１】
【００８４】
実施例１１では、実施例１０と同様、大きいさいころの内部が中空になっており、中に小さいさいころが入れてある。大きいさいころは透明な素材で構成されており外部から内部が見える。実施例１１では、小さいさいころの出目のみを用いる場合と、実施例１０と同様に、大きいさいころの出目と小さいさいころの出目を両方用い、両方の出目を組み合わせて出目を得る場合がある。
【００８５】
図２１（Ａ）に実施例１１の大きいさいころの展開図を示す。大きいさいころは、正六面体を構成する６面のうちの５面は何も記されていない。残り１面には、その４辺のうちの１辺付近に数字の１３が記されている。
【００８６】
図２１（Ｂ）に実施例１１の小さいさいころの展開図を示す。小さいさいころは、正六面体を構成する６面のそれぞれ４辺のうち向かい合う２辺に、図で示すように１〜１２までの数字が記されている。実施例８同様、この小さいさいころは大きいさいころの内部を自由に転がる。
【００８７】
実施例１０と同様、大きいさいころが転がされ停止すると、大きいさいころの中で小さいさいころも着地する。大きいさいころが透明の素材で成るので、大きいさいころの上から覗き込むと、大きいさいころの中で着地した小さいさいころが外部から見える。
【００８８】
大きいさいころの何も記されていない面がでた場合、中の小さいさいころの出目のみが用いられる。このとき、いずれの位置の数字を出目とするかに関しあらかじめきめておく点は実施例３と同様である。大きいさいころの出目が１３の場合、大きいさいころと小さいさいころ両方の出目を組み合わせて最終的な出目を得る。
【００８９】
図２２に、大きいさいころと小さいさいころの両方の出目を組み合わせる場合の最終的な出目の出し方を示す。大きいさいころの出目が１３で小さいさいころの出目が１の場合は出目を読まずに、やり直しをする。大きいさいころの出目が１３で小さいさいころの出目が１以外の場合には、出目は１３とする。
【実施例１２】
【００９０】
実施例１２では、実施例１１と同様、大きいさいころの内部が中空になっており、中に小さいさいころが入れてある。大きいさいころは透明な素材で構成されており外部から内部が見える。実施例１２では、小さいさいころの出目のみを用いる場合と、実施例１１と同様に、大きいさいころの出目と小さいさいころの出目を両方用い、両方の出目を組み合わせて出目を得る場合がある。
【００９１】
図２３（Ａ）に実施例１２の大きいさいころの展開図を示す。大きいさいころは、正六面体を構成する６面のうちの５面は何も記されていない。残り１面には、その４辺のうちの１辺付近に数字の２５が記されている。
【００９２】
図２３（Ｂ）に実施例１２の小さいさいころの展開図を示す。小さいさいころは、正六面体を構成する６面のそれぞれ４個の角付近に、図で示すように１〜２４までの数字が記されている。実施例８と同様、この小さいさいころは大きいさいころの内部を自由に転がる。
【００９３】
実施例１１と同様、大きいさいころが転がされ停止すると、大きいさいころの中で小さいさいころも着地する。大きいさいころが透明の素材で成るので、大きいさいころの上から覗き込むと、大きいさいころの中で着地した小さいさいころが外部から見える。
【００９４】
大きいさいころの何も記されていない面がでた場合、中の小さいさいころの出目のみが用いられる。このとき、いずれの位置の数字を出目とするかに関しあらかじめきめておく点は実施例３と同様である。大きいさいころの出目が２５の場合、大きいさいころと小さいさいころ両方の出目を組み合わせて最終的な出目を得る。
【００９５】
図２４に、大きいさいころの出目と小さいさいころの両方の出目を組み合わせる場合の最終的な出目の出し方を示す。大きいさいころの出目が２５で小さいさいころの出目が１の場合は出目を読まずに、やり直しをする。大きいさいころの出目が２５で小さいさいころの出目が１以外の場合には、出目は全て２５とする。
【実施例１３】
【００９６】
実施例１３では、実施例１２と同様、大きいさいころの内部が中空になっており、中に小さいさいころが入れてある。大きいさいころは透明な素材で構成されており外部から内部が見える。
【００９７】
図２５（Ａ）に実施例１３の大きいさいころの展開図を示す。大きいさいころは、正六面体を構成する６面に、中国、ブラジル、ドイツ、英国、米国、日本の国旗が、図で示す通りに記されている。
【００９８】
図２５（Ｂ）に実施例１３の小さいさいころの展開図を示す。小さいさいころは、正六面体を構成する６面に、１〜６個の目がそれぞれ記されている。６面のうち１面には、１個の赤色の目が中央に記され、４個のうちの１個の角付近に小さい目が記されている。実施例１２と同様、この小さいさいころは大きいさいころの内部を自由に転がる。
【００９９】
実施例１３では、小さいさいころの出目のみを用いる場合と、実施例１１と同様に、大きいさいころの出目と小さいさいころの出目を両方用い、両方の出目を組み合わせて出目を得る場合がある。
【０１００】
実施例１３では、上記の通りに記された国旗と目を用いて、様々な確率の出目を得る。
【０１０１】
転がされたさいころが停止した際に、いずれの位置の数字を出目とするかに関しあらかじめきめておく点は実施例３と同様である。
【０１０２】
大きいさいころの出目に関し、面の中央に旗が配置された旗はひとつが４点、辺に沿う位置に配置された旗はひとつが２点、角に沿う位置に配置された旗はひとつが１点、と定めると、図２５の（Ａ）を参照して、中国の旗は（４＋２＋２）＝８点、ブラジルの旗は（２＋２＋１＋１）＝６点、ドイツの旗は４点、日本は１点、イギリスは（１＋１＋１）＝３点、アメリカは２点、となる。この数値により、各国の旗の出る確率と、それぞれの旗の得点は図２６に示す通りとなる。
【０１０３】
小さいさいころの出目が、中央に赤い丸が一つ記された目の場合、これを日本の国旗とみなして図２７に示す通りの得点とする。すなわち、小さなさいころの出目が中央に赤い丸が一つ記された目であり、大きいさいころの目が中国の場合、小さなさいころで中央に赤い丸が一つ記された目の出る確率は１／６であり、大きなさいころの中国の出る確率は１／３なので、両確率を掛け合わせて、確率は１／１８になり、得点は１８点である。
【０１０４】
小さいさいころので目が、中央に赤い丸が一つ記された面の当該面の角に一つ記された赤い丸である場合、図２８に示す通りの得点とする。計算方法については図２７と同様である。
【符号の説明】
【０１０５】
１  辺
２  角
３  さいころ
４  仕切り
５  仕切り
１０  小球
２０  大きいさいころ
３０  小さいさいころ
【図１】
2012228511.tif 000003
【図２】
2012228511.tif 000004
【図３】
2012228511.tif 000005
【図４】
2012228511.tif 000006
【図５】
2012228511.tif 000007
【図６】
2012228511.tif 000008
【図７】
2012228511.tif 000009
【図８】
2012228511.tif 000010
【図９】
2012228511.tif 000011
【図１０】
2012228511.tif 000012
【図１１】
2012228511.tif 000013
【図１２】
2012228511.tif 000014
【図１３】
2012228511.tif 000015
【図１４】
2012228511.tif 000016
【図１５】
2012228511.tif 000017
【図１６】
2012228511.tif 000018
【図１７】
2012228511.tif 000019
【図１８】
2012228511.tif 000020
【図１９】
2012228511.tif 000021
【図２０】
2012228511.tif 000022
【図２１】
2012228511.tif 000023
【図２２】
2012228511.tif 000024
【図２３】
2012228511.tif 000025
【図２４】
2012228511.tif 000026
【図２５】
2012228511.tif 000027
【図２６】
2012228511.tif 000028
【図２７】
2012228511.tif 000029
【図２８】
2012228511.tif 000030